(57)【特許請求の範囲】
【請求項１】
第１端末が送信した検証端末設定要求を受信するステップと、
目標識別子に対応する目標アカウントを特定して、前記第１端末に、前記目標アカウントを用いてログインしたことがある少なくとも一つの端末の端末識別子を送信するステップと、
前記第１端末が送信した、前記第１端末により選択した第２端末の端末識別子を受信するステップと、
予め保存された識別子情報と検証端末との対応関係中に、前記目標識別子と前記第２端末とを追加するステップと、
前記第１端末が送信した、前記目標識別子が付加されたビジネスプロセス要求を受信するステップと、
前記予め保存された識別子情報と検証端末との対応関係に基づいて、前記目標識別子に対応する前記第２端末を特定して、前記第２端末に検証要求を送信するステップと、
前記第２端末が送信した検証確認メッセージを受信した場合、前記ビジネスプロセス要求に対応するビジネスプロセスを実行するステップと
を含むことを特徴とするサーバによるビジネスプロセス実行方法。
【請求項２】
前記第２端末が送信した検証確認メッセージを受信した場合、前記ビジネスプロセス要求に対応するビジネスプロセスを実行するステップは、
第２端末が送信した検証確認メッセージを受信し、且つ、前記検証確認メッセージ中に付加された検証パスワードと予め保存された前記目標識別子に対応する検証パスワードとが一致する場合、前記ビジネスプロセス要求に対応するビジネスプロセスを実行するステップ
を含むことを特徴とする請求項１に記載のビジネスプロセス実行方法。
【請求項３】
前記ビジネスプロセス要求中には前記第１端末の端末識別子が付加されており、
前記第２端末に検証要求を送信するステップは、
前記第２端末に前記第１端末の端末識別子が付加された検証要求を送信するステップ
を含むことを特徴とする請求項１に記載のビジネスプロセス実行方法。
【請求項４】
ユーザが入力した検証端末設定命令を受信して、サーバに検証端末設定要求を送信するステップと、
前記サーバが送信した、目標識別子に対応する目標アカウントを用いてログインしたことがある少なくとも一つの端末の端末識別子を受信するステップと、
受信した前記少なくとも一つの端末の端末識別子を表示するステップと、
前記ユーザが入力した検証端末選択命令を受信した場合、前記サーバに前記検証端末選択命令によって選択された第２端末の端末識別子を送信するステップと、
前記ユーザが入力した遠隔検証モードでのビジネスプロセス命令を受信するステップと、
前記サーバに、前記サーバが、予め保存された識別子情報と検証端末との対応関係に基づいて、目標識別子に対応する前記第２端末を特定して、前記第２端末に検証要求を送信し、前記第２端末が送信した検証確認メッセージを受信すると、ビジネスプロセス要求に対応するビジネスプロセスを実行するようにするための前記目標識別子が付加された前記ビジネスプロセス要求を送信するステップ
とを含むことを特徴とする第１端末によるビジネスプロセス実行方法。
【請求項５】
第１端末が送信した、目標識別子が付加されたビジネスプロセス要求を受信する受信モジュールと、
予め保存された識別子情報と検証端末との対応関係に基づいて、前記受信モジュールが受信したビジネスプロセス要求中に付加された目標識別子に対応する第２端末を特定して、前記第２端末に検証要求を送信する送信モジュールと、
前記第２端末が送信した検証確認メッセージを受信した場合、前記ビジネスプロセス要求に対応するビジネスプロセスを実行する実行モジュールと、を備え、
前記受信モジュールは、さらに、前記第１端末が送信した検証端末設定要求を受信し、
前記送信モジュールは、さらに、前記目標識別子に対応する目標アカウントを特定して、前記第１端末に、前記目標アカウントを用いてログインしたことがある少なくとも一つの端末の端末識別子を送信し、
前記受信モジュールは、さらに、前記第１端末が送信した、前記第１端末により選択した前記第２端末の端末識別子を受信し、
サーバは、前記識別子情報と検証端末との対応関係中に、前記目標識別子と前記第２端末とを追加する追加モジュールをさらに備える、
ことを特徴とするサーバ。
【請求項６】
前記実行モジュールは、
前記第２端末が送信した検証確認メッセージを受信し、且つ、前記検証確認メッセージ中に付加された検証パスワードと予め保存された前記目標識別子に対応する検証パスワードとが一致する場合、前記ビジネスプロセス要求に対応するビジネスプロセスを実行する
ことを特徴とする請求項５に記載のサーバ。
【請求項７】
前記ビジネスプロセス要求中には前記第１端末の端末識別子が付加されており、
前記送信モジュールは、
前記第２端末に前記第１端末の端末識別子が付加された検証要求を送信する
ことを特徴とする請求項５に記載のサーバ。
【請求項８】
ユーザが入力した遠隔検証モードでのビジネスプロセス命令を受信する受信モジュールと、
サーバに、前記受信モジュールが受信したビジネスプロセス命令に対応するビジネスプロセス要求であって、前記サーバが、予め保存された識別子情報と検証端末との対応関係に基づいて、目標識別子に対応する第２端末を特定して、前記第２端末に検証要求を送信し、前記第２端末が送信した検証確認メッセージを受信すると、前記ビジネスプロセス要求に対応するビジネスプロセスを実行するようにするための前記目標識別子が付加されたビジネスプロセス要求を、送信する送信モジュールと、を備え、
前記送信モジュールは、さらに、前記ユーザが入力した検証端末設定命令を受信して、前記サーバに検証端末設定要求を送信し、
前記受信モジュールは、さらに、前記サーバが送信した、前記目標識別子に対応する目標アカウントを用いてログインしたことがある少なくとも一つの端末の端末識別子を受信し、
第１端末は、受信した前記少なくとも一つの端末の端末識別子を表示する表示モジュールをさらに備え、
前記送信モジュールは、さらに、前記ユーザが入力した検証端末選択命令を受信した場合、前記サーバに前記検証端末選択命令によって選択された第２端末の端末識別子を送信する、
ことを特徴とする第１端末。
【請求項９】
サーバと第１端末とを備え、
前記第１端末は、
ユーザが入力した検証端末設定命令を受信して、前記サーバに検証端末設定要求を送信し、前記サーバが送信した、目標識別子に対応する目標アカウントを用いてログインしたことがある少なくとも一つの端末の端末識別子を受信し、受信した前記少なくとも一つの端末の端末識別子を表示し、前記ユーザが入力した検証端末選択命令を受信した場合、前記サーバに前記検証端末選択命令によって選択された第２端末の端末識別子を送信し、
前記ユーザが入力した遠隔検証モードでのビジネスプロセス命令を受信し、前記サーバに、前記目標識別子が付加されたビジネスプロセス要求を送信し、
前記サーバは、
前記第１端末が送信した検証端末設定要求を受信し、目標識別子に対応する目標アカウントを特定して、前記第１端末に、前記目標アカウントを用いてログインしたことがある少なくとも一つの端末の端末識別子を送信し、前記第１端末が送信した、前記第１端末により選択した前記第２端末の端末識別子を受信し、予め保存された識別子情報と検証端末との対応関係中に、前記目標識別子と前記第２端末とを追加し、
前記第１端末が送信した、前記目標識別子が付加されたビジネスプロセス要求を受信し、前記予め保存された識別子情報と検証端末との対応関係に基づいて、前記目標識別子に対応する前記第２端末を特定して、前記第２端末に検証要求を送信するステップと、前記第２端末が送信した検証確認メッセージを受信した場合、前記ビジネスプロセス要求に対応するビジネスプロセスを実行する
ことを特徴とするビジネスプロセス実行システム。
【請求項１０】
プロセッサと、
前記プロセッサが実行可能な命令を記憶するためのメモリと
を備え、
前記プロセッサは、
第１端末が送信した検証端末設定要求を受信し、
目標識別子に対応する目標アカウントを特定して、前記第１端末に、前記目標アカウントを用いてログインしたことがある少なくとも一つの端末の端末識別子を送信し、
前記第１端末が送信した、前記第１端末により選択した第２端末の端末識別子を受信し、
予め保存された識別子情報と検証端末との対応関係中に、前記目標識別子と前記第２端末とを追加し、
前記第１端末が送信した、前記目標識別子が付加されたビジネスプロセス要求を受信し、
前記予め保存された識別子情報と検証端末との対応関係に基づいて、前記目標識別子に対応する前記第２端末を特定して、前記第２端末に検証要求を送信し、
前記第２端末が送信した検証確認メッセージを受信した場合、前記ビジネスプロセス要求に対応するビジネスプロセスを実行する
ように構成されることを特徴とするサーバ。
【請求項１１】
プロセッサと、
前記プロセッサが実行可能な命令を記憶するためのメモリと
を備え、
前記プロセッサは、
ユーザが入力した検証端末設定命令を受信して、サーバに検証端末設定要求を送信し、
前記サーバが送信した、目標識別子に対応する目標アカウントを用いてログインしたことがある少なくとも一つの端末の端末識別子を受信し、
受信した前記少なくとも一つの端末の端末識別子を表示し、
前記ユーザが入力した検証端末選択命令を受信した場合、前記サーバに前記検証端末選択命令によって選択された第２端末の端末識別子を送信し、
前記ユーザが入力した遠隔検証モードでのビジネスプロセス命令を受信し、
前記サーバに、前記サーバが、予め保存された識別子情報と検証端末との対応関係に基づいて、目標識別子に対応する前記第２端末を特定して、前記第２端末に検証要求を送信し、前記第２端末が送信した検証確認メッセージを受信すると、ビジネスプロセス要求に対応するビジネスプロセスを実行するようにするための前記目標識別子が付加された前記ビジネスプロセス要求を送信する
ように構成されることを特徴とする第１端末。
【請求項１２】
プロセッサに実行されることにより、請求項１から請求項３のいずれか１項に記載のビジネスプロセス実行方法を実現することを特徴とするプログラム。
【請求項１３】
請求項１２に記載のプログラムが記録された記録媒体。
【発明の詳細な説明】
【技術分野】
【０００１】
本発明は、コンピュータ技術分野に関し、特に、ビジネスプロセス実行方法、装置、システム、プログラム及び記録媒体に関する。
【背景技術】
【０００２】
コンピュータ技術の発展に伴い、アプリケーションの種類もますます多くなり、これらアプリケーションのネットワークビジネスも豊富になった。ここで、セキュリティの要求がより高いネットワークビジネス（例えば、ネットワーク支払い、重要書類の照会、等）に対しては、ユーザは、一つのアプリケーションに対して、アカウントログインパスワードのほか、さらに、別途のビジネス実行パスワードを設定する必要がある。
【０００３】
従来技術で、ユーザＢは、ユーザＡのアカウントを利用して、あるセキュリティが高いネットワークビジネスを実行しようとする場合、端末にユーザＡのアカウントが既にログインされていると（一般的に、自動ログインに設定されている）、ユーザＡにそのアカウントに対応される当該ネットワークビジネスのビジネス実行パスワードを聞いて、ユーザＡにより該当するビジネス実行パスワードを教えてもらった後に、ユーザＡのアカウントを利用して当該ネットワークビジネスを実行することができる。
【０００４】
発明者は、本発明を実現する過程において、従来技術には少なくとも以下の問題が存在することを発見した。
【０００５】
ユーザＡは、一般的に、ユーザＢが自分のアカウントを利用して、あるネットワークビジネスを実行することを一時的に許可したがっている。しかし、ユーザＡがビジネス実行パスワードをユーザＢに教えた後、ユーザＢはその以後にも当該ビジネス実行パスワードを利用できるため、アカウントのセキュリティが影響を受けるようになる。
【発明の概要】
【発明が解決しようとする課題】
【０００６】
本発明は、関連技術に存在する問題を解決するために、ビジネスプロセス実行方法、装置、システム、プログラム及び記録媒体を提供する。
【課題を解決するための手段】
【０００７】
本発明の実施例に係る第１の態様によると、ビジネスプロセス実行方法を提供する。
【０００８】
前記方法は、
第１端末が送信した、目標識別子が付加されたビジネスプロセス要求を受信するステップと、
予め保存された識別子情報と検証端末との対応関係に基づいて、前記目標識別子に対応する第２端末を特定して、前記第２端末に検証要求を送信するステップと、
前記第２端末が送信した検証確認メッセージを受信した場合、前記ビジネスプロセス要求に対応するビジネスプロセスを実行するステップと
を含む。
【０００９】
オプションとして、
前記第２端末が送信した検証確認メッセージを受信した場合、前記ビジネスプロセス要求に対応するビジネスプロセスを実行するステップは、
第２端末が送信した検証確認メッセージを受信し、且つ、前記検証確認メッセージ中に付加された検証パスワードと予め保存された前記目標識別子に対応する検証パスワードとが一致する場合、前記ビジネスプロセス要求に対応するビジネスプロセスを実行するステップ
を含む。
【００１０】
このようにして、第１端末により、誤りクリックによるトリガによって、検証確認メッセージを送信することを防止することができる。
【００１１】
オプションとして、
前記ビジネスプロセス要求中には前記第１端末の端末識別子が付加されており、
前記第２端末に検証要求を送信するステップは、
前記第２端末に前記第１端末の端末識別子が付加された検証要求を送信するステップ
を含む。
【００１２】
このようにして、ユーザが、どの端末が要求検証を必要するかを了解するようにする。
【００１３】
オプションとして、
前記方法は、
前記第１端末が送信した検証端末設定要求を受信するステップと、
前記目標識別子に対応する目標アカウントを特定して、前記第１端末に、前記目標アカウントを用いてログインしたことがある少なくとも一つの端末の端末識別子を送信するステップと、
前記第１端末が送信した、前記第１端末により選択した第２端末の端末識別子を受信するステップと、
前記識別子情報と検証端末との対応関係中に、前記目標識別子と前記第２端末とを追加するステップと
をさらに含む。
【００１４】
このようにして、検証端末を速く設定できる。
【００１５】
本発明の実施例に係る第２の態様によると、ビジネスプロセス実行方法を提供する。
【００１６】
前記方法は、
ユーザが入力した遠隔検証モードでのビジネスプロセス命令を受信するステップと、
サーバに、前記サーバが、予め保存された識別子情報と検証端末との対応関係に基づいて、目標識別子に対応する第２端末を特定して、前記第２端末に検証要求を送信し、前記第２端末が送信した検証確認メッセージを受信すると、ビジネスプロセス要求に対応するビジネスプロセスを実行するようにするための前記目標識別子が付加された前記ビジネスプロセス要求を送信するステップと
を含む。
【００１７】
オプションとして、
前記方法は、
ユーザが入力した検証端末設定命令を受信して、前記サーバに検証端末設定要求を送信するステップと、
サーバが送信した、前記目標識別子に対応する目標アカウントを用いてログインしたことがある少なくとも一つの端末の端末識別子を受信するステップと、
受信した前記少なくとも一つの端末の端末識別子を表示するステップと、
ユーザが入力した検証端末選択命令を受信した場合、前記サーバに前記検証端末選択命令によって選択された第２端末の端末識別子を送信するステップと
をさらに備える。
【００１８】
このようにして、ユーザは、自ら検証端末を選択できる。
【００１９】
本発明の実施例に係る第３の態様によると、サーバを提供する。
【００２０】
前記サーバは、
第１端末が送信した、目標識別子が付加されたビジネスプロセス要求を受信する受信モジュールと、
予め保存された識別子情報と検証端末との対応関係に基づいて、前記受信モジュールが受信したビジネスプロセス要求中に付加された目標識別子に対応する第２端末を特定して、前記第２端末に検証要求を送信する送信モジュールと、
前記第２端末が送信した検証確認メッセージを受信した場合、前記ビジネスプロセス要求に対応するビジネスプロセスを実行する実行モジュールと
を備える。
【００２１】
オプションとして、
前記実行モジュールは、
第２端末が送信した検証確認メッセージを受信し、且つ、前記検証確認メッセージ中に付加された検証パスワードと予め保存された前記目標識別子に対応する検証パスワードとが一致する場合、前記ビジネスプロセス要求に対応するビジネスプロセスを実行する。
【００２２】
オプションとして、
前記ビジネスプロセス要求中には前記第１端末の端末識別子が付加されており、
前記送信モジュールは、前記第２端末に前記第１端末の端末識別子が付加された検証要求を送信する。
【００２３】
オプションとして、
前記受信モジュールは、さらに、前記第１端末が送信した検証端末設定要求を受信し、
前記送信モジュールは、さらに、前記目標識別子に対応する目標アカウントを特定して、前記第１端末に、前記目標アカウントを用いてログインしたことがある少なくとも一つの端末の端末識別子を送信し、
前記受信モジュールは、さらに、前記第１端末が送信した、前記第１端末により選択した第２端末の端末識別子を受信し、
前記サーバは、
前記識別子情報と検証端末との対応関係中に、前記目標識別子と前記第２端末とを追加する追加モジュール
をさらに備える。
【００２４】
本発明の実施例に係る第４の態様によると、第１端末を提供する。
【００２５】
前記第１端末は、
ユーザが入力した遠隔検証モードでのビジネスプロセス命令を受信する受信モジュールと、
サーバに、前記受信モジュールが受信したビジネスプロセス命令に対応するビジネスプロセス要求であって、前記サーバが、予め保存された識別子情報と検証端末との対応関係に基づいて、目標識別子に対応する第２端末を特定して、前記第２端末に検証要求を送信し、前記第２端末が送信した検証確認メッセージを受信すると、前記ビジネスプロセス要求に対応するビジネスプロセスを実行するようにするための前記目標識別子が付加されたビジネスプロセス要求を、送信する送信モジュールと
をさらに備える。
【００２６】
オプションとして、
前記送信モジュールは、さらに、ユーザが入力した検証端末設定命令を受信して、前記サーバに検証端末設定要求を送信し、
前記受信モジュールは、さらに、受信サーバが送信した前記目標識別子に対応する目標アカウントを用いてログインしたことがある全ての端末の端末識別子を受信し、
前記第１端末は、
表示モジュールは、受信した前記全ての端末の端末識別子を表示し、
前記送信モジュールは、さらに、ユーザが入力した検証端末選択命令を受信した場合、前記サーバに前記検証端末選択命令によって選択された第２端末の端末識別子を送信する。
【００２７】
本発明の実施例に係る第５の態様によると、ビジネスプロセス実行システムを提供する。
【００２８】
前記システムは、
サーバと第１端末とを備え、
前記第１端末は、ユーザが入力した遠隔検証モードでのビジネスプロセス命令を受信し、前記サーバに、目標識別子が付加されたビジネスプロセス要求を送信し、
前記サーバは、前記第１端末が送信した、目標識別子が付加されたビジネスプロセス要求を受信し、予め保存された識別子情報と検証端末との対応関係に基づいて、前記目標識別子に対応する第２端末を特定して、前記第２端末に検証要求を送信し、前記第２端末が送信した検証確認メッセージを受信した場合、前記ビジネスプロセス要求に対応するビジネスプロセスを実行する。
【００２９】
本発明の実施例に係る第６の態様によると、サーバを提供する。
【００３０】
前記サーバは、
プロセッサと、
前記プロセッサが実行可能な命令を記憶するためのメモリと
を備え、
前記プロセッサは、
第１端末が送信した、目標識別子が付加されたビジネスプロセス要求を受信するステップと、
予め保存された識別子情報と検証端末との対応関係に基づいて、前記目標識別子に対応する第２端末を特定して、前記第２端末に検証要求を送信し、
前記第２端末が送信した検証確認メッセージを受信した場合、前記ビジネスプロセス要求に対応するビジネスプロセスを実行する
ように構成される。
【００３１】
本発明の実施例に係る第７の態様によると、第１端末を提供する。
【００３２】
前記第１端末は、
プロセッサと、
前記プロセッサが実行可能な命令を記憶するためのメモリと
を備え、
前記プロセッサは、
ユーザが入力した遠隔検証モードでのビジネスプロセス命令を受信し、
サーバに、前記サーバが、予め保存された識別子情報と検証端末との対応関係に基づいて、目標識別子に対応する第２端末を特定して、前記第２端末に検証要求を送信し、前記第２端末が送信した検証確認メッセージを受信すると、ビジネスプロセス要求に対応するビジネスプロセスを実行するようにするための前記目標識別子が付加された前記ビジネスプロセス要求を送信する
ように構成される。
【００３３】
本発明の実施例の第８の態様によると、プログラムを提供し、当該プログラムは、プロセッサに実行されることにより、上記のビジネスプロセス実行方法を実現する。
【００３４】
本発明の実施例の第９の態様によると、記録媒体を提供し、当該記録媒体には、上記プログラムが記録されている。
【００３５】
本発明の実施例が提供する構成の有益な効果は以下のとおりである。
【００３６】
本発明の実施例は、第１端末が送信した、目標識別子が付加されたビジネスプロセス要求を受信するステップと、予め保存された識別子情報と検証端末との対応関係に基づいて、前記目標識別子に対応する第２端末を特定して、前記第２端末に検証要求を送信するステップと、前記第２端末が送信した検証確認メッセージを受信した場合、前記ビジネスプロセス要求に対応するビジネスプロセスを実行するステップとを含む。このようにして、ユーザは、他のユーザが自分のアカウントを利用してビジネスプロセスを実行するようにする場合に、検証端末を利用してビジネスプロセス要求を直接に検証することができて、ビジネス実行パスワードを相手に教える必要が無くなって、アカウントのセキュリティを改善できる。
【００３７】
以上の統括な記述と以下の細部記述は、ただ例示的なものであり、本発明を制限するものではないと、理解するべきである。
【図面の簡単な説明】
【００３８】
ここでの図面は、明細書に合併されて本明細書の一部を構成して本発明に合致する実施例を示し、明細書とともに本発明の原理の説明するに用いられる。
【００３９】
【図１】図１は、例示的な一実施例に係るビジネスプロセスの実行を示すフローチャートである。
【００４０】
【図２】図２は、例示的な一実施例に係る第１端末のインターフェイスの表示を示す模式図である。
【００４１】
【図３】図３は、例示的な一実施例に係る第２端末のインターフェイスの表示を示す模式図である。
【００４２】
【図４】図４は、例示的な一実施例に係る第２端末のインターフェイスの表示を示す模式図である。
【００４３】
【図５】図５は、例示的な一実施例に係るビジネスプロセスの実行を示すフローチャートである。
【００４４】
【図６】図６は、例示的な一実施例に係るサーバの構成を示す模式図である。
【００４５】
【図７】図７は、例示的な一実施例に係るサーバの構成を示す模式図である。
【００４６】
【図８】図８は、例示的な一実施例に係る第１端末の構成を示す模式図である。
【００４７】
【図９】図９は、例示的な一実施例に係る第１端末の構成を示す模式図である。
【００４８】
【図１０】図１０は、例示的な一実施例に係るサーバの構成を示す模式図である。
【００４９】
【図１１】図１１は、例示的な一実施例に係る端末の構成を示す模式図である。
【００５０】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００５１】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００５２】
本発明の例示的なもう一実施例は、ビジネスプロセス実行方法を提供する。ビジネスプロセス実行方法は、サーバと第１端末とが一緒に実現する。ここで、サーバは、アプリケーション（例えば、クラウドアプリケーション等である）のバックエンドサーバ（サーバと略称する）であり、プロセッサ、メモリ、送受信手段、等を含む。プロセッサは、ビジネスプロセスの過程の処理を実行し、メモリは、ビジネスプロセスを実行する過程で必要なデータ及び生成されたデータを保存し、送受信手段は、メッセージを送受信する。当該第１端末は、スマートフォン、タブレットＰＣ、スマートテレビ、等である。端末は、目標ネットワークビジネスのアプリケーションがインストールされており、プロセッサ、メモリ、送受信手段、等を含む。プロセッサは、ビジネスプロセスの過程の処理を実行し、メモリは、ビジネスプロセスを実行する過程で必要なデータ及び生成されたデータを保存し、送受信手段は、メッセージを送受信する。当該第１端末は、スクリーン等のような入出力手段をさらに含み、スクリーンは、アプリケーションインターフェイス等を表示する。当該スクリーンは、タッチスクリーンであってもよい。
【００５３】
図１に示したように、当該方法の処理の流れは、以下のステップを含んでもよい。
【００５４】
ステップ１０１において、第１端末が、ユーザが入力した遠隔検証モードでのビジネスプロセス命令を受信する。
【００５５】
実施する際に、ユーザＡは、第１端末にアプリケーションをインストールして、アプリケーションをトリガして起動した後に、目標アカウントを用いてアプリケーションにログインして、当該アプリケーションのネットワークビジネスに対して検証端末を設定してもよく、検証端末を設定する過程については、以下で詳細に説明する。
【００５６】
第１端末は、第１端末で目標アカウントを用いてログインする度に、目標アカウントに対応する目標識別子（目標識別子は、第１端末にログインした目標アカウントの識別子を唯一に識別するためのものであり、目標アカウントのＩＤ（Ｉｄｅｎｔｉｔｙ）、或いは、第１端末とサーバとの接続識別子、等であってもよい）を記録する。それで、ユーザＢにより第１端末を使用する時に、既に目標アカウントでアプリケーションにログインされている。ユーザＢは、目標アカウントを用いてログインしたアプリケーションで、目標ネットワークビジネス（例えば、アルバム照会、支払い、等）を実行しようとする際に、目標ネットワークビジネスのオプションをクリックしてもよい。図２に示したように、第１端末にはパスワード検証オプション、遠隔検証オプションが表示されており、ユーザＢにより遠隔検証オプションをクリックすると、第１端末はユーザＢが入力したビジネスプロセス命令を受信することになる。例えば、ユーザＡがホームのスマートテレビのクラウドアルバムに対して遠隔検証を設定した場合、ユーザＢによりユーザＡのホームのスマートテレビを起動させると、この前にユーザＡにより目標アカウントを用いてアプリケーションにログインしたことがあるため、スマートテレビが起動される際に、目標アカウントでアプリケーションにログインされている。ユーザＢは、当該スマートテレビのアプリケーション中のクラウドアルバムを照会しようとすると、クラウドアルバムのアイコンをクリックして、スマートテレビをトリガしてパスワード検証オプションと遠隔検証オプションとを表示させて、遠隔検証オプションをクリックすると、スマートテレビはクラウドアルバム照会命令を受信するようになる。
【００５７】
また、ユーザＢは、目標ネットワークビジネスを実行しようとすると、目標ネットワークビジネスのオプションをクリックして、第１端末をトリガしてパスワード検証オプションと遠隔検証オプションを表示させて、遠隔検証オプションをクリックして、第１端末をトリガして使用者情報入力ボックスを表示させて、使用者情報入力ボックスに自分の情報（例えば、ユーザＢの名前）を入力した後に、確認ボタンをクリックすると、第１端末はユーザＢが入力したビジネスプロセス命令を受信することになる。
【００５８】
ステップ１０２において、第１端末が、サーバに目標識別子が付加されたビジネスプロセス要求を送信する。
【００５９】
ここで、目標識別子情報は、第１端末にログインした目標アカウントの識別子情報を唯一に識別するためのものであり、目標アカウントのＩＤ（Ｉｄｅｎｔｉｔｙ）、或いは、第１端末とサーバとの接続識別子、等であってもよい。
【００６０】
実施する際に、第１端末は、ユーザが入力したビジネスプロセス命令を検出されると、サーバに、目標ネットワークビジネスのビジネス識別子が付加されたビジネスプロセス要求を送信する。例えば、スマートテレビは、ユーザＢによってクラウドアルバムの照会ボタンがクリックされると、ユーザが入力したクラウドアルバム照会命令を検出して、サーバにクラウドアルバム照会要求を送信する。
【００６１】
オプションとして、第１端末によりサーバに送信するビジネスプロセス要求の中には、第１端末の端末識別子が付加されている。
【００６２】
ここで、第１端末の端末識別子は、例えば、赤米携帯電話、小米テレビ、等のような端末の種類であってもよいし、ユーザにより第１端末に対して設定した名称であってもよい。
【００６３】
実施する際に、第１端末は、ユーザが入力したビジネスプロセス命令が検出されると、第１端末の端末識別子を取得した後に、サーバに、第１端末の端末識別子及び目標ネットワークビジネスのビジネス識別子が付加されたビジネスプロセス要求を送信する。
【００６４】
ステップ１０３において、サーバが、第１端末により送信した目標識別子が付加されたビジネスプロセス要求を受信する。
【００６５】
ここで、目標識別子は、第１端末にログインした目標アカウントの識別子を唯一に識別するためのものであり、目標アカウントのＩＤ（Ｉｄｅｎｔｉｔｙ）、或いは、第１端末とサーバとの接続識別子、等であってもよい。
【００６６】
実施する際に、サーバは、第１端末が送信したビジネスプロセス要求を受信した後、当該ビジネスプロセス要求を解析して、その中から目標識別子及び目標ネットワークビジネスのビジネス識別子を取得する。
【００６７】
ステップ１０４において、サーバが、予め保存された識別子情報と検証端末との対応関係に基づいて、目標識別子に対応する第２端末を特定して、第２端末に検証要求を送信する。
【００６８】
ここで、第２端末は、携帯電話、タブレットＰＣ、等であってもよく、目標アカウントを用いてログインすることができる。第２端末は、ユーザが目標アカウント（即ち、第１端末でログインするアカウント）に対して設定した検証端末である。第１端末は、目標アカウントを用いてログインした状態で、サーバにビジネスプロセスを要求する場合には、第２端末の許可を受けた後にのみ、ビジネスプロセスを行うことができる。検証要求は、サーバから検証端末に送信する検証要求であって、検証端末のユーザに、該当するビジネスプロセスの実行を同意するか否かを尋ねる検証要求である。例えば、クラウドアルバムの照会を同意するか否かを尋ねる検証要求である。
【００６９】
実施する際に、サーバは、識別子情報と検証端末との対応関係を予め保存してもよく、識別子情報と検証端末との対応関係を保存する過程は、以下で詳細に説明する。サーバは、第１端末が送信したビジネスプロセス要求を受信した後に、第１端末でログインした目標アカウントの目標識別子を特定して、予め保存された識別子情報と検証端末との対応関係の中から、目標識別子に対応する第２端末（つまり、目標ネットワークビジネスに対して予め設定した検証端末）を検索して、第２端末に、目標ネットワークビジネスのビジネス識別子が付加された検証要求を送信する。
【００７０】
また、サーバは、第２端末に検証要求を送信する際に、さらに、第２端末に第１端末の使用者情報を送信してもよい。ここで、第１端末の使用者情報は、第１端末が送信したビジネスプロセス要求を解析して取得した情報であってもよい。
【００７１】
オプションとして、ビジネスプロセス要求中には、第１端末の端末識別子が付加されている。サーバは、第２端末に第１端末の端末識別子が付加された検証要求を送信する。
【００７２】
ここで、第１端末の端末識別子は、例えば、赤米携帯電話、小米テレビ、等のような端末の種類であってもよいし、ユーザにより第１端末に対して設定した名称であってもよい。
【００７３】
実施する際に、サーバは、予め保存された識別子情報と検証端末との対応関係の中から、目標識別子に対応する第２端末を検索した後に、第１端末の端末識別子を取得して、第２端末に第１端末の端末識別子が付加された検証要求を送信する。
【００７４】
ステップ１０５において、サーバは、第２端末が送信した検証確認メッセージを受信した場合、ビジネスプロセス要求に対応するビジネスプロセスを実行する。
【００７５】
ここで、検証確認メッセージは、検証端末がサーバに送信するメッセージであって、サーバのビジネスプロセス要求に対応するビジネスプロセスの実行を同意するためのメッセージである。
【００７６】
実施する際に、図３に示したように、第２端末は、サーバが送信した検証要求（例えば、スマートテレビのクラウドアルバム照会の要求、或いは、第１端末のクラウドアルバム照会の要求を同意するか否か、等である）を受信した後に、インターフェイスに検証要求を表示させる。ユーザＡにより確認ボタンをクリックすると、第２端末は、確認ボタンのクリック命令を検出して、サーバに検証確認メッセージを送信する。サーバは、第２端末が送信した検証確認メッセージを受信すると、ビジネスプロセス要求に対応するビジネスプロセスを実行して、実行結果を第１端末に送信する。第１端末は、実行結果を受信した後に、実行結果（例えば、第１端末に、クラウドアルバム中の画像等を表示する）を表示する。例えば、第２端末がサーバから送信した第１端末のクラウドアルバム照会要求の検証要求を受信した後に、ユーザＡにより確認ボタンをクリックすると、第２端末は確認ボタンのクリック命令を検出した後にサーバに照会同意の検証確認メッセージを送信する。サーバは、照会同意の検証メッセージを受信した後に、クラウドアルバムのパスワードを解読して、第１端末にパスワードの解読後のクラウドアルバムを送信する。端末は、パスワードの解読後のクラウドアルバムを受信して、パスワード解読後のクラウドアルバム中の画像を表示させる。
【００７７】
また、第１端末が受信したサーバから送信する検証要求は、使用者情報が付加された検証要求であってもよい。検証要求は、例えば、San ZHANGのスマートテレビを用いてクラウドアルバムを照会しようとする要求、或は、San ZHANGの赤米携帯電話を使用してクラウドアルバムを照会しようとする要求を同意するか否かを聞く検証要求である。
【００７８】
オプションとして、検証確認メッセージの中に検証パスワードを付加してもよい。該当する処理方法は、第２端末が送信した検証確認メッセージを受信し、且つ、検証確認メッセージ中に付加された検証パスワードと、予め保存された目標アカウントの検証パスワードとが、一致すると、ビジネスプロセス要求に対応するビジネスプロセスを実行する。
【００７９】
実施する際に、サーバは、目標アカウントの検証パスワードを予め保存してもよく、目標アカウントの検証パスワードを予め保存する過程は、以下で詳細に説明する。
【００８０】
図４に示したように、第２端末は、サーバが送信した検証要求（第１端末のクラウドアルバム照会の要求、或は、第１端末のクラウドアルバム照会の要求を同意するか否か、等である）を受信した後に、インターフェイスに検証要求を表示させる。ユーザＡは、当該検証要求をクリックして、第２端末をトリガして検証パスワード入力ボックスを表示するようにして、検証パスワード入力ボックス中に目標ネットワークビジネスに対応する検証パスワードを入力した後に、確認ボタンをクリックして、第２端末をトリガしてサーバに検証パスワードが付加された検証確認メッセージを送信するようにする。サーバは、第２端末が送信した検証確認メッセージを受信した後に、当該検証確認メッセージを解析して、その中から検証確認メッセージ中に付加された検証パスワードを取得して、取得した検証パスワードと予め保存された目標アカウントの目標ネットワークビジネスの検証パスワードとを比較する。一致であると、ビジネスプロセス要求に対応するビジネスプロセスを実行して、その実行結果を第１端末に送信する。
【００８１】
例えば、第２端末によりサーバから送信した第１端末の２３.６８人民元を支払う要求である検証要求を受信した後に、ユーザＡは当該検証要求をクリックして、第１端末をトリガしてパスワード入力ボックスを表示させるようにして、検証パスワード（例えば、１２３８５６）を入力して確認ボタンをクリックして、第２端末をトリガしてサーバに検証パスワードが付加された検証確認メッセージを送信するようにする。サーバは、検証確認メッセージを受信した後に、検証パスワードである１２３８５６を解析して、当該検証パスワードと予め保存された目標アカウントのパスワードとを比較する。一致であると、支払い操作を行ってから、第１端末に支払い成功メッセージを送信する。第１端末は、支払い成功を示すインターフェイスを表示する。
【００８２】
また、アプリケーション中の各ネットワークビジネス（例えば、クラウドアルバム照会、支払い、チャット記録照会、等）に対して、それぞれ、互いに異なる検証パスワードを設定してもよい。第２端末は、サーバが送信した目標ネットワークビジネスの検証要求を受信した後に、インターフェイスに目標ネットワークビジネスの検証要求（例えば、第１端末のクラウドアルバム照会の要求、第１端末の２３.６９人民元の支払い要求、等）を表示する。ユーザＡにより、当該検証要求をクリックして、第２端末をトリガして検証パスワード入力ボックスを表示させるようにして、検証パスワード入力ボックスに当該目標ネットワークビジネスに対応する検証パスワードを入力する。その後、ユーザＡにより、確認ボタンをクリックして、第２端末をトリガしてサーバに目標ネットワークビジネスの検証パスワードが付加された検証確認メッセージを送信するようにする。サーバは、第２端末が送信した検証確認メッセージを受信した後に、当該検証確認メッセージを解析して、その中から検証確認メッセージ中に付加された目標ネットワークビジネスの検証パスワードを取得して、取得した検証パスワードと予め保存された目標アカウントの目標ネットワークビジネスの検証パスワードとを比較して、一致であると、ビジネスプロセス要求に対応するビジネスプロセスを実行する。
【００８３】
本実施例は、アプリケーションのネットワークビジネスに対して検証端末を設定する処理を、さらに、提供する。図５に示したように、当該処理は、以下のようなステップを含む。
【００８４】
ステップ２０１において、第１端末が、ユーザが入力した検証端末設定命令を受信して、サーバに検証端末設定要求を送信する。
【００８５】
実施する際に、ユーザＡは、任意の端末にアプリケーションをインストールして、目標アカウントを用いてアプリケーションをログインした後に、当該アプリケーション中のネットワークビジネスに対して検証端末を設定する。複数のネットワークビジネスに対して、一つの検証端末を設定してもよいし、互いに異なるネットワークビジネスに対して、互いに異なる検証端末を設定してもよい。本実施例においては、第１端末上で目標ネットワークビジネスの検証端末を設定する過程について、詳細に説明する。
【００８６】
ユーザＡは、第１端末上でアプリケーションをインストールして、目標アカウントを使用してアプリケーションをログインしてから、インターフェイス中の設定オプションをクリックして、第１端末をトリガしてアクセス設定オプション、インターフェイス設定オプション、及び、幾つかのその他のオプションを表示させるようにする。ユーザＡは、アクセス設定オプションをクリックして、第１端末をトリガしてアクセス権限を設定するためのネットワークビジネスオプション、一括設定オプション（全てのネットワークビジネスの検証端末を、一つの端末に設定する）を表示させるようにする。ユーザＡは、目標ネットワークビジネスオプションをクリックして、第１端末をトリガして編集オプション、権限設定オプション、及び、幾つかの他のオプションを表示するようにする。ユーザＡは、権限設定オプションをクリックして、第１端末をトリガしてパスワード設定オプション、及び、検証端末設定オプションを表示させるようにする。ユーザＡが検証端末設定オプションをクリックすると、第１端末はユーザＡが入力した検証端末設定命令を受信して、サーバに検証端末設定要求を送信する。当該検証端末設定要求中には、第１端末の端末識別子、及び、目標ネットワークビジネスのビジネス識別子が付加されている。
【００８７】
ステップ２０２において、サーバが、第１端末から送信した検証端末設定要求を受信し、目標識別子に対応する目標アカウントを特定して、目標アカウントを用いてログインしたことがある少なくとも一つの端末の端末識別子を第１端末に送信する。
【００８８】
実施する際に、サーバは、目標アカウントがログイン状態にある度に、今回に目標アカウントを用いてログインした端末を検出して、今回に目標アカウントを用いてログインした端末の端末識別子を、アカウントとログインしたことがある端末との対応関係中に追加する。サーバは、第１端末が送信した検証端末設定要求を受信した後に、その中から、第１端末の端末識別子、及び、目標ネットワークビジネスのビジネス識別子を解析して取得する。その後、第１端末にログインした目標アカウントに対応する目標識別子を特定して、目標アカウントの目標識別子に基づいて、目標識別子と、ログインしたことがある端末との対応関係の中から、目標アカウントを用いてログインしたことがある少なくとも一つの端末の端末識別子を特定して、取得した全ての端末の端末識別子を第１端末に送信する。
【００８９】
ステップ２０３において、第１端末が、サーバが送信した標識別子に対応する目標アカウントを用いてログインしたことがある少なくとも一つの端末の端末識別子を受信し、受信した少なくとも一つの端末の端末識別子を表示し、ユーザが入力した検証端末選択命令を受信した場合、サーバに検証端末選択命令によって選択された第２端末の端末識別子を送信する。
【００９０】
実施する際に、第１端末は、サーバが送信した目標アカウントを用いてログインしたことがある少なくとも一つの端末の端末識別子を受信した後に、インターフェイスに少なくとも一つの端末の端末識別子を表示させる。ユーザＡが第２端末の端末識別子をクリックすると、第１端末はユーザＡがクリックして入力した検証端末選択命令を受信して、検証端末選択命令によって選択された第２端末の端末識別子をサーバに送信する。
【００９１】
また、第１端末は、サーバが送信した目標アカウントをログインしたことがある全ての端末の端末識別子を受信した後に、インターフェイスに全ての端末の端末識別子を表示させる。ユーザＡは、第２端末の端末識別子をクリックして、第１端末をトリガして検証パスワード入力ボックスを表示させるようにして、検証パスワードを入力する。その後、確認ボタンをクリックして、第１端末をトリガして第２端末の端末識別子及び検証パスワードをサーバに送信するようにする。
【００９２】
ステップ２０４において、サーバが、第１端末が送信した選択された第２端末の端末識別子を受信する。
【００９３】
ステップ２０５において、サーバが、識別子情報と検証端末との対応関係の中に、目標識別子と第２端末とを追加する。
【００９４】
実施する際に、サーバは、第１端末から送信したユーザＡが選択した第２端末の端末識別子を受信した後に、第１端末でログインした目標アカウントの目標識別子、及び、目標ネットワークビジネスのビジネス識別子を取得した後に、目標アカウントの目標識別子と第２端末の端末識別子とを、識別子情報と検証端末との対応関係中に保存する。目標アカウントの目標識別子を保存する時に、備考に、目標ネットワークビジネスのビジネス識別子を保存する。
【００９５】
また、サーバは、検証パスワードをさらに受信してもよい。そして、第１端末でログインした目標アカウント、及び、目標ネットワークビジネスのビジネス識別子を取得して、当該検証パスワードを、目標アカウントの目標ネットワークビジネスの検証パスワードとして、保存する。
【００９６】
本発明の実施例において、サーバは、第１端末が送信した目標識別子が付加されたビジネスプロセス要求を受信し、サーバに予め保存された識別子情報と検証端末との対応関係に基づいて、目標識別子に対応する第２端末を特定して、第２端末に検証要求を送信し、第２端末が送信した検証確認メッセージを受信すると、ビジネスプロセス要求に対応するビジネスプロセスを実行する。このようにして、ユーザは、他のユーザが自分のアカウントを利用してビジネスプロセスを実行するようにする場合に、検証端末を利用してビジネスプロセス要求を直接に検証することができて、ビジネス実行パスワードを相手に教える必要が無くなって、アカウントのセキュリティを改善できる。
【００９７】
本発明の例示的なもう一実施例によると、サーバを、さらに、提供する。
【００９８】
図６に示したように、当該サーバは、
第１端末が送信した、目標識別子が付加されたビジネスプロセス要求を受信する受信モジュール６１０と、
予め保存された識別子情報と検証端末との対応関係に基づいて、前記受信モジュールが受信したビジネスプロセス要求中に付加された目標識別子に対応する第２端末を特定して、前記第２端末に検証要求を送信する送信モジュール６２０と、
前記第２端末が送信した検証確認メッセージを受信した場合、前記ビジネスプロセス要求に対応するビジネスプロセスを実行する実行モジュール６３０と
を備える。
【００９９】
オプションとして、
前記実行モジュール６３０は、
第２端末が送信した検証確認メッセージを受信し、且つ、前記検証確認メッセージ中に付加された検証パスワードと予め保存された前記目標識別子に対応する検証パスワードとが一致する場合、前記ビジネスプロセス要求に対応するビジネスプロセスを実行する。
【０１００】
オプションとして、
前記ビジネスプロセス要求中には前記第１端末の端末識別子が付加されており、
前記送信モジュール６２０は、
前記第２端末に前記第１端末の端末識別子が付加された検証要求を送信する。
【０１０１】
オプションとして、
前記受信モジュール６１０は、さらに、前記第１端末が送信した検証端末設定要求を受信し、
前記送信モジュール６２０は、さらに、前記目標識別子に対応する目標アカウントを特定して、前記第１端末に、前記目標アカウントを用いてログインしたことがある少なくとも一つの端末の端末識別子を送信し、
前記受信モジュール６１０は、さらに、前記第１端末が送信した、前記第１端末により選択した第２端末の端末識別子を受信する。
【０１０２】
図７に示したように、前記サーバは、
前記識別子情報と検証端末との対応関係中に、前記目標識別子と前記第２端末とを追加する追加モジュール６４０をさらに備える。
【０１０３】
本発明の実施例は、上記の同様な技術思想によって、第１端末を、さらに、提供する。
【０１０４】
図８に示したように、当該第１端末は、
ユーザが入力した遠隔検証モードでのビジネスプロセス命令を受信する受信モジュール８１０と、
サーバに、前記受信モジュールが受信したビジネスプロセス命令に対応するビジネスプロセス要求であって、前記サーバが、予め保存された識別子情報と検証端末との対応関係に基づいて、前記目標識別子に対応する第２端末を特定して、前記第２端末に検証要求を送信し、前記第２端末が送信した検証確認メッセージを受信すると、前記ビジネスプロセス要求に対応するビジネスプロセスを実行するようにするための目標識別子が付加されたビジネスプロセス要求を、送信する送信モジュール８２０と
を備える。
【０１０５】
オプションとして、
前記送信モジュール８２０は、さらに、ユーザが入力した検証端末設定命令を受信して、前記サーバに検証端末設定要求を送信し、
前記受信モジュール８１０は、さらに、サーバが送信した、前記目標識別子に対応する目標アカウントを用いてログインしたことがある少なくとも一つの端末の端末識別子を受信する。
【０１０６】
図９に示したように、前記第１端末は、
受信した前記少なくとも一つの端末の端末識別子を表示する表示モジュール８３０をさらに備える、
前記送信モジュール８２０は、さらに、
ユーザが入力した検証端末選択命令を受信した場合、前記サーバに前記検証端末選択命令によって選択された第２端末の端末識別子を送信する。
【０１０７】
本発明の実施例において、サーバは、第１端末が送信した目標識別子が付加されたビジネスプロセス要求を受信し、サーバに予め保存された識別子情報と検証端末との対応関係に基づいて、目標識別子に対応する第２端末を特定して、前記第２端末に検証要求を送信し、第２端末が送信した検証確認メッセージを受信すると、前記ビジネスプロセス要求に対応するビジネスプロセスを実行する。このようにして、ユーザは、他のユーザが自分のアカウントを利用してビジネスプロセスを実行するようにする場合に、検証端末を利用してビジネスプロセス要求を直接に検証することができて、ビジネス実行パスワードを相手に教える必要が無くなって、アカウントのセキュリティを改善できる。
【０１０８】
上記の実施例のサーバ及び第１端末について、その各モジュールが実行する操作の具体的な形態は既に当該方法に関する実施例において詳細に説明したため、ここでは詳細に説明しない。
【０１０９】
上記の実施例によって提供するビジネスプロセスを実行するためのサーバ及び第１端末がビジネスプロセスを実行する際に、上記の各々の機能モジュールに割り当てて実行する例を挙げて説明したが、実際に応用する際には、必要によって上記の機能を互いに異なる機能モジュールに割り当てて実行してもよく、即ち、装置の内部構成を互いに異なる機能モジュールに割り当てて、以上に記載した全部或いは一部の機能を実行してもよいことを説明する必要がある。また、ビジネスプロセスを実行するサーバ及び第１端末の実施例は、上記のビジネスプロセス実行方法の実施例と同一の思想に属し、具体的な実現過程は方法の実施例を参照すればよく、ここでは繰り返して説明しない。
【０１１０】
本発明の例示的なもう一実施例は、ビジネスプロセス実行システムを提供する。
【０１１１】
当該システムは、サーバと第１端末とを備え、
前記第１端末は、ユーザが入力した遠隔検証モードでのビジネスプロセス命令を受信して、前記サーバに、目標識別子が付加されたビジネスプロセス要求を送信し、
前記サーバは、前記第１端末が送信した、目標識別子が付加されたビジネスプロセス要求を受信し、予め保存された識別子情報と検証端末との対応関係に基づいて、前記目標識別子に対応する第２端末を特定して、前記第２端末に検証要求を送信し、前記第２端末が送信した検証確認メッセージを受信した場合、前記ビジネスプロセス要求に対応するビジネスプロセスを実行する。
【０１１２】
本発明実施例中、サーバは、第１端末が送信した目標識別子が付加されたビジネスプロセス要求を受信し、サーバに予め保存された識別子情報と検証端末との対応関係に基づいて、目標識別子に対応する第２端末を特定して、前記第２端末に検証要求を送信し、第２端末が送信した検証確認メッセージを受信すると、前記ビジネスプロセス要求に対応するビジネスプロセスを実行する。このようにして、ユーザは、他のユーザが自分のアカウントを利用してビジネスプロセスを実行するようにする場合に、検証端末を利用してビジネスプロセス要求を直接に検証することができて、ビジネス実行パスワードを相手に教える必要が無くなって、アカウントのセキュリティを改善できる。
【０１１３】
本発明の例示的なさらなる一実施例は、サーバの構成を示す模式図を提供する。
【０１１４】
図１０を参照すると、サーバ１０００は、プロセスモジュール１９２２を備える。当該プロセスモジュール１９２２は、一つ以上のプロセッサ、及びメモリ１９３２を代表とするメモリリソースを、さらに備える。当該メモリリソースは、プロセスモジュール１９２２によって実行される、例えばアプリケーションプログラムのような命令を保存する。メモリ１９３２中に保存されたアプリケーションプログラムには、それぞれ一つの命令のセットに対応する一つ以上のモジュールを含まれてもよい。なお、プロセスモジュール１９２２は、命令を実行することにより、上記のビジネスプロセス実行方法を実行する。
【０１１５】
サーバ１０００は、サーバ１０００の電源を管理するための一つの電源モジュール１９２６、サーバ１０００をネットワークに接続させるための一つの有線又は無線のネットワークインターフェイス１９５０、及び、一つの入出力インターフェイス１９５８を備えてもよい。サーバ１０００は、メモリ１９３２に保存された、例えば、Ｗｉｎｄｏｗｓ  ＳｅｒｖｅｒＴＭ、Ｍａｃ  ＯＳ  ＸＴＭ、ＵｎｉｘＴＭ，  ＬｉｎｕｘＴＭ、ＦｒｅｅＢＳＤＴＭのようなオペレーティング・システムによって、操作を行うことができる。
【０１１６】
サーバ１０００は、メモリ、及び、一つ以上のプログラムを含んでもよく、ここで、一つ以上のプログラムはメモリ中に保存され、一つ以上のプロセッサによって一つ以上のプログラムを実行することによって、以下の操作を実行させるための命令を生成する。
【０１１７】
上記の操作は、
第１端末が送信した、目標識別子が付加されたビジネスプロセス要求を受信するステップと、
予め保存された識別子情報と検証端末との対応関係に基づいて、前記目標識別子に対応する第２端末を特定して、前記第２端末に検証要求を送信するステップと、
前記第２端末が送信した検証確認メッセージを受信した場合、前記ビジネスプロセス要求に対応するビジネスプロセスを実行するステップと
を含む。
【０１１８】
オプションとして、
前記第２端末が送信した検証確認メッセージを受信した場合、前記ビジネスプロセス要求に対応するビジネスプロセスを実行するステップは、
第２端末が送信した検証確認メッセージを受信し、且つ、前記検証確認メッセージ中に付加された検証パスワードと予め保存された前記目標識別子に対応する検証パスワードとが一致する場合、前記ビジネスプロセス要求に対応するビジネスプロセスを実行するステップ
を含む。
【０１１９】
オプションとして、
前記ビジネスプロセス要求中には前記第１端末の端末識別子が付加されており、
前記第２端末に検証要求を送信するステップは、
前記第２端末に前記第１端末の端末識別子が付加された検証要求を送信するステップ
を含む。
【０１２０】
オプションとして、
上記の操作は、
前記第１端末が送信した検証端末設定要求を受信するステップと、
前記目標識別子に対応する目標アカウントを特定して、前記第１端末に、前記目標アカウントを用いてログインしたことがある少なくとも一つの端末の端末識別子を送信するステップと、
前記第１端末が送信した、前記第１端末により選択した第２端末の端末識別子を受信するステップと、
前記識別子情報と検証端末との対応関係中に、前記目標識別子と前記第２端末とを追加するステップと
をさらに含む。
【０１２１】
本発明の実施例において、サーバは、第１端末が送信した目標識別子が付加されたビジネスプロセス要求を受信し、サーバに予め保存された識別子情報と検証端末との対応関係に基づいて、目標識別子に対応する第２端末を特定して、前記第２端末に検証要求を送信し、第２端末が送信した検証確認メッセージを受信すると、前記ビジネスプロセス要求に対応するビジネスプロセスを実行する。このようにして、ユーザは、他のユーザが自分のアカウントを利用してビジネスプロセスを実行するようにする場合に、検証端末を利用してビジネスプロセス要求を直接に検証することができて、ビジネス実行パスワードを相手に教える必要が無くなって、アカウントのセキュリティを改善できる。
【０１２２】
本発明の例示的なさらなる一実施例は、端末の構成を示す模式図を提供する。当該端末は、携帯電話、タブレットＰＣ、スマートテレビ等であってもよい。
【０１２３】
図１１を参照して、端末１１００は、プロセスモジュール８０２、メモリ８０４、電源モジュール８０６、マルチメディアモジュール８０８、オーディオモジュール８１８、入出力（Ｉ／Ｏ）インターフェイス８１２、センサモジュール８１４、及び通信モジュール８１６のような一つ以上のモジュールを含んでよい。
【０１２４】
プロセスモジュール８０２は、一般的には端末１１００の全体の動作を制御するものであり、例えば、表示、電話呼び出し、データ通信、カメラ動作、及び記録動作と関連する動作を制御する。プロセスモジュール８０２は、一つ以上のプロセッサ８２２を含み、これらによって命令を実行することにより、上記の方法の全部、或は一部のステップを実現するようにしてもよい。なお、プロセスモジュール８０２は、一つ以上のモジュールを含み、これらによってプロセスモジュール８０２と他のモジュールの間のインタラクションを容易にするようにしてもよい。例えば、プロセスモジュール８０２は、マルチメディアモジュールを含み、これらによってマルチメディアモジュール８０８とプロセスモジュール８０２の間のインタラクションを容易にするようにしてもよい。
【０１２５】
メモリ８０４は、各種類のデータを記憶することにより端末１１００の動作を支援するように構成される。これらのデータの例は、端末１１００において動作するいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１２６】
電源モジュール８０６は、端末１１００の多様なモジュールに電力を供給する。電源モジュール８０６は、電源管理システム、一つ以上の電源、及び端末１１００のための電力の生成、管理及び割り当てに関連付けられている他のモジュールを含んでもよい。
【０１２７】
マルチメディアモジュール８０８は、前記端末１１００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアモジュール８０８は、一つのフロントカメラ、及び／又はリアカメラを含む。端末１１００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１２８】
オーディオモジュール８１８は、オーディオ信号を入出力するように構成されてもよい。例えば、オーディオモジュール８１８は、一つのマイク（ＭＩＣ）を含み、端末１１００が、例えば呼出しモード、記録モード、及び音声認識モード等の動作モードにある場合、マイクは外部のオーディオ信号を受信することができる。受信されたオーディオ信号は、さらにメモリ８０４に記憶されたり、通信モジュール８１６を介して送信されたりされる。上記の実施例において、オーディオモジュール８１８は、オーディオ信号を出力するための一つのスピーカーをさらに含む。
【０１２９】
Ｉ／Ｏインターフェイス８１２は、プロセスモジュール８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１３０】
センサモジュール８１４は、端末１１００に各種の状態に対する評価を提供するための一つ以上のセンサを含む。例えば、センサモジュール８１４は、端末１１００のＯＮ／ＯＦＦ状態、端末１１００のディスプレイとキーパッドのようなモジュールの相対的な位置決めを検出できる。また、例えば、センサモジュール８１４は、端末１１００、或は端末１１００の一つのモジュールの位置変更、ユーザと端末１１００とが接触しているか否か、端末１１００の方位、又は加速／減速、端末１１００の温度の変化を検出できる。センサモジュール８１４は、何れの物理的接触がない状態にて付近の物体の存在を検出するための近接センサを含んでもよい。センサモジュール８１４は、撮影アプリケーションに適用するため、ＣＭＯＳ、又はＣＣＤ画像センサのような光センサを含んでもよい。上記の実施例において、当該センサモジュール８１４は、加速度センサ、ジャイロスコープセンサ、磁気センサ、圧力センサ、及び温度センサをさらに含んでもよい。
【０１３１】
通信モジュール８１６は、端末１１００と他の機器の間に有線、又は利便性のよい形態の通信を提供する。端末１１００は、例えばＷｉＦｉ（登録商標）、２Ｇ、３Ｇ、或はこれらの組み合わせのような、通信規格に基づいた無線ネットワークに接続されてもよい。一つの例示的な実施例において、通信モジュール８１６は、放送チャンネルを介して外部の放送管理システムからの放送信号、又は放送に関連する情報を受信する。一つの例示的な実施例において、前記通信モジュール８１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１３２】
例示的な実施例において、端末１１００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１３３】
例示的な実施例において、さらに、命令を含むコンピュータ読取り可能な非一時的な記録媒体、例えば命令を含むメモリ８０４を提供しており、端末１１００のプロセッサ８２２により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０１３４】
コンピュータ読取り可能な非一時的な記録媒体は、当該記録媒体中の命令が移動端末のプロセッサによって実行される際に、端末に、上記の方法を実行させる。
【０１３５】
当該方法は、
ユーザが入力した遠隔検証モードでのビジネスプロセス命令を受信するステップと、
サーバに、前記サーバが、予め保存された識別子情報と検証端末との対応関係に基づいて、目標識別子に対応する第２端末を特定して、前記第２端末に検証要求を送信し、前記第２端末が送信した検証確認メッセージを受信すると、前記ビジネスプロセス要求に対応するビジネスプロセスを実行するようにするための前記目標識別子が付加されたビジネスプロセス要求を送信するステップと
を含む。
【０１３６】
オプションとして、
前記方法は、
ユーザが入力した検証端末設定命令を受信して、前記サーバに検証端末設定要求を送信するステップと、
サーバが送信した、前記目標識別子に対応する目標アカウントを用いてログインしたことがある少なくとも一つの端末の端末識別子を受信するステップと、
受信した前記少なくとも一つの端末の端末識別子を表示するステップと、
ユーザが入力した検証端末選択命令を受信した場合、前記サーバに前記検証端末選択命令によって選択された第２端末の端末識別子を送信するステップと
をさらに含む。
【０１３７】
本発明の実施例において、サーバは、第１端末が送信した目標識別子が付加されたビジネスプロセス要求を受信し、サーバに予め保存された識別子情報と検証端末との対応関係に基づいて、目標識別子に対応する第２端末を特定して、前記第２端末に検証要求を送信し、第２端末が送信した検証確認メッセージを受信すると、前記ビジネスプロセス要求に対応するビジネスプロセスを実行する。このようにして、ユーザは、他のユーザが自分のアカウントを利用してビジネスプロセスを実行するようにする場合に、検証端末を利用してビジネスプロセス要求を直接に検証することができて、ビジネス実行パスワードを相手に教える必要が無くなって、アカウントのセキュリティを改善できる。
【０１３８】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１３９】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【０１４０】
本願は、出願番号がＣＮ２０１６１０２３０７６５.３であって、出願日が２０１６年４月１４日である中国特許出願に基づいて優先権を主張し、当該中国特許出願のすべての内容を援用する。
【図１】
0006422997.tif 000002
【図２】
0006422997.tif 000003
【図３】
0006422997.tif 000004
【図４】
0006422997.tif 000005
【図５】
0006422997.tif 000006
【図６】
0006422997.tif 000007
【図７】
0006422997.tif 000008
【図８】
0006422997.tif 000009
【図９】
0006422997.tif 000010
【図１０】
0006422997.tif 000011
【図１１】
0006422997.tif 000012